(57)【要約】【課題】専用のコンピュータなどの機器を使用することなく、複数の映像情報源からの映像情報信号を合成して表示することが可能な表示システムを提供することを目的とする。【解決手段】映像情報を発生する第１及び第２の映像情報提供手段と、この第１及び第２の映像情報提供手段からの複数の映像情報信号が直接入力可能でかつ前記複数の映像情報信号それぞれに対応させた位置にそれぞれの映像情報信号を合成して表示可能な１６：９の画面サイズの表示装置とを有し、前記第１の映像情報提供手段は、動画情報を提供する手段であり、第２の映像情報提供手段は、ユーザーが任意に映像情報を作成可能な手段であることを特徴とする。【選択図】図１
2007057634.tif 000002
【特許請求の範囲】
【請求項１】
映像情報を発生する第１及び第２の映像情報提供手段と、この第１及び第２の映像情報提供手段からの複数の映像情報信号が直接入力可能でかつ前記複数の映像情報信号それぞれに対応させた位置にそれぞれの映像情報信号を合成して表示可能な１６：９の画面サイズの表示装置とを有し、前記第１の映像情報提供手段は、動画情報を提供する手段であり、第２の映像情報提供手段は、ユーザーが任意に映像情報を作成可能な手段であることを特徴とする表示システム。
【請求項２】
表示装置は、第１及び第２の映像情報提供手段からの映像情報を画面上の異なる位置に表示する複数の表示パターンを備えた表示モード決定手段を有し、前記表示パターンはユーザーにより任意に切り替え可能としたことを特徴とする請求項１に記載の表示システム。
【発明の詳細な説明】
【技術分野】
【０００１】
本発明は、大画面の表示が可能なプラズマディスプレイや液晶ディスプレイなどの大型表示装置を用いた表示システムに関するものである。
【背景技術】
【０００２】
近年、大画面の表示が可能なプラズマディスプレイや液晶ディスプレイなどの大型表示装置を用い、各種の広告宣伝に活用することが普及している。
【０００３】
通常、このような表示装置を用いた表示システムにおいては、表示装置に複数の映像情報源からの複数の映像情報を表示しようとした場合、先行技術文献は見当たらないが、それぞれの映像情報源から送られる映像情報信号を、一旦、専用のコンピュータなどに入力して映像情報信号を合成することが行われている。
【発明の開示】
【発明が解決しようとする課題】
【０００４】
このような表示システムにおいては、表示装置に複数の映像情報源からの複数の映像情報を表示しようとした場合、それぞれの映像情報源から送られる映像情報信号を専用のコンピュータなどで合成する必要があるため、小規模の施設などで利用しようとした場合、設備投資に多くの費用がかかることから、小規模施設での普及に課題があった。
【０００５】
本発明はこのような状況に鑑みなされたもので、専用のコンピュータなどの機器を使用することなく、複数の映像情報源からの映像情報信号を合成して表示することが可能な表示システムを提供することを目的とする。
【課題を解決するための手段】
【０００６】
上記目的を達成するために本発明の表示システムは、映像情報を発生する第１及び第２の映像情報提供手段と、この第１及び第２の映像情報提供手段からの複数の映像情報信号が直接入力可能でかつ前記複数の映像情報信号それぞれに対応させた位置にそれぞれの映像情報信号を合成して表示可能な１６：９の画面サイズの表示装置とを有し、前記第１の映像情報提供手段は、動画情報を提供する手段であり、第２の映像情報提供手段は、ユーザーが任意に映像情報を作成可能な手段であることを特徴とする。
【０００７】
また、表示装置は、第１及び第２の映像情報提供手段からの映像情報を画面上の異なる位置に表示する複数の表示パターンを備えた表示モード決定手段を有し、前記表示パターンはユーザーにより任意に切り替え可能としたことを特徴とする。
【発明の効果】
【０００８】
本発明の表示システムによれば、第１及び第２の映像情報提供手段からの複数の映像情報信号が直接入力可能でかつ前記複数の映像情報信号それぞれに対応させた位置にそれぞれの映像情報信号を合成して表示可能な１６：９の画面サイズの表示装置とを有し、前記第１の映像情報提供手段は、動画情報を提供する手段であり、第２の映像情報提供手段は、ユーザーが任意に映像情報を作成可能な手段であるため、専用のコンピュータなどの機器を使用することなく、複数の映像情報源からの映像情報信号を合成して表示することが可能となる。また、表示装置は、第１及び第２の映像情報提供手段からの映像情報を画面上の異なる位置に表示する複数の表示パターンを備えた表示モード決定手段を有し、前記表示パターンはユーザーにより任意に切り替え可能としたことにより、ユーザーが表示システムを使用する広告内容に応じて効果的な宣伝広告を行うことができる。
【発明を実施するための最良の形態】
【０００９】
以下、本発明の一実施の形態によるプラズマディスプレイを用いた表示システムについて、図１〜図３を用いて説明するが、本発明の実施の態様はこれに限定されるものではない。
【００１０】
図１は本発明の一実施の形態によるプラズマディスプレイを用いた表示システムの全体構成を示す図で、図２はその表示システムの表示装置を示すブロック図である。
【００１１】
図において、１はＤＶＤ、ＶＴＲ、チューナなどの動画による映像情報信号を提供する第１の映像情報提供手段、２は文字情報、静止画、コンピュータグラフィックによる動画などの映像情報信号を提供するパーソナルコンピュータなどの第２の映像情報提供手段で、ユーザーが任意に映像情報を作成可能な手段である。
【００１２】
３はこれらの第１及び第２の映像情報提供手段１、２からの複数（図示のものは２つ）の映像情報信号が直接入力可能な入力端子を有する表示装置で、この表示装置３は、前記複数の映像情報信号それぞれに対応させた位置にそれぞれの映像情報信号を合成して表示可能な１６：９の画面サイズの表示装置である。この表示装置３は、図２に示すように、第１及び第２の映像情報提供手段１、２からの映像情報信号が直接入力可能な複数（図示のものは２つ）の入力端子４、５と、第１の映像情報提供手段１からの第１の映像情報信号に基づく映像情報を特定の位置に制御して表示するための表示位置制御手段６と、第２の映像情報提供手段２からの第２の映像情報信号に基づく映像情報の表示位置を特定の位置に制御して表示するための表示位置制御手段７と、これらの表示位置制御手段６、７から送られる映像情報信号を合成する映像信号合成手段８と、この映像信号合成手段８から送られる映像情報信号により表示を行う１６：９の画面サイズのディスプレイ部９と、上記表示位置制御手段６、７に制御情報を送ることにより第１及び第２の映像情報提供手段１、２からの映像情報を画面上の異なる位置に表示する複数の表示パターンを備えた表示モード決定手段１０とから構成されている。
【００１３】
図３は表示モード決定手段１０における表示パターンの例を示す図である。図３において、１１は第１の映像情報提供手段１からの第１の映像情報信号に基づく映像情報を表示する第１の表示領域、１２は第２の映像情報提供手段２からの第２の映像情報信号に基づく映像情報を表示する第２の表示領域であり、表示モード決定手段１０には、予め６つの表示パターンが設定され記憶されており、ユーザーが任意に表示パターンを選択することにより、２つの映像情報源である第１及び第２の映像情報提供手段１、２からの映像情報の表示位置を変更することができる。
【００１４】
このような本発明の表示システムによれば、第１及び第２の映像情報提供手段１、２と、これらの第１及び第２の映像情報提供手段１、２からの複数の映像情報信号が直接入力可能な表示装置３のみでシステムが構成されており、第１の映像情報提供手段１から動画情報を提供し、そして第２の映像情報提供手段２により、ユーザーが任意に映像情報を作成して提供することにより、専用のコンピュータなどの機器を使用することなく、複数の映像情報源からの映像情報信号を合成して表示することができる。また、表示装置は、第１及び第２の映像情報提供手段１、２からの映像情報を画面上の異なる位置に表示する複数の表示パターンを備えた表示モード決定手段１０を備えているため、表示パターンをユーザーが任意に切り替えることにより、広告内容に応じて効果的な宣伝広告を行うことができる。
【産業上の利用可能性】
【００１５】
以上の説明から明らかなように本発明の表示システムによれば、簡単な設備で大型表示装置を用いた表示システムを導入することができ、小規模の施設においても、大型の表示装置を導入して広告宣伝を行うことが可能となり、大型の表示装置の普及を促すことができる。
【図面の簡単な説明】
【００１６】
【図１】本発明の一実施の形態による表示システムの全体構成を示す構成図
【図２】同表示システムの表示装置の構成を示すブロック図
【図３】表示モード決定手段による表示パターンの一例を示す説明図
【符号の説明】
【００１７】
１  第１の映像情報提供手段
２  第２の映像情報提供手段
３  表示装置
４、５  入力端子
６、７  表示位置制御手段
８  映像信号合成手段
９  ディスプレイ部
１０  表示モード決定手段
【図１】
2007057634.tif 000003
【図２】
2007057634.tif 000004
【図３】
2007057634.tif 000005